(57)【要約】【課題】低コストでセメントキルン排ガスから効率よく水銀を回収する。【解決手段】セメントキルン排ガスから回収したダストＤ１を加熱し、ダストＤ１に含まれる水銀を揮発させる外熱キルン３と、外熱キルン３から排出された揮発水銀を含む水銀含有ガスＧ１を、水銀含有ガスＧ２と水銀除去ダストＤ３とに分離するバグフィルタ４と、分離された水銀含有ガスＧ２に含まれる揮発水銀を回収する活性炭吸着塔８とを備え、外熱キルン３とバグフィルタ４とを一体化した。バグフィルタ４を外熱キルン３のダスト排出部３ｃの上部に配置することができる。外熱キルン３に供給するダスト加熱用の熱風を供給する熱風炉５からの熱風Ｈ３によってバグフィルタ４を加熱してもよい。【選択図】図１
2015081207.tif 000002
【特許請求の範囲】
【請求項１】
セメントキルン排ガスから回収したダストを加熱し、該ダストに含まれる水銀を揮発させる加熱装置と、
該加熱装置から排出された揮発水銀を含むガスを、水銀含有ガスと水銀除去ダストとに分離する固気分離装置と、
該分離された水銀含有ガスに含まれる揮発水銀を回収する水銀回収装置とを備え、
前記加熱装置と固気分離装置とを一体化したことを特徴とするセメントキルン排ガスの処理装置。
【請求項２】
前記固気分離装置を前記加熱装置のダスト排出部の上部に配置したことを特徴とする請求項１に記載のセメントキルン排ガスの処理装置。
【請求項３】
前記加熱装置は、外熱キルン又はＵターンキルンであることを特徴とする請求項１又は２に記載のセメントキルン排ガスの処理装置。
【請求項４】
前記固気分離装置を、前記外熱キルン又はＵターンキルンに供給するダスト加熱用の熱風を供給する熱風炉からの熱風によって加熱することを特徴とする請求項３に記載のセメントキルン排ガスの処理装置。
【発明の詳細な説明】
【技術分野】
【０００１】
本発明は、セメントキルンから排出される燃焼排ガスから水銀を回収する装置に関する。
【背景技術】
【０００２】
セメントの主原料である石灰石等の天然原料や、フライアッシュ等のリサイクル資源に水銀が含まれているため、セメントキルンの排ガスには、極微量の金属水銀（Ｈｇ）が含まれる。セメントキルン排ガス中の水銀が増加すると、大気汚染の原因となる虞があると共に、フライアッシュ等のリサイクル資源利用拡大の阻害要因となる虞もある。
【０００３】
そこで、特許文献１には、図２に示すように、空気Ａ２を加熱する熱風炉１２と、熱風炉１２から排出されたガスＧ４に、セメントキルン排ガスに含まれる、水銀を含むキルンダストＤ４を投入する抽気ダクト１３と、キルンダストＤ４を含む水銀含有ガスＧ５を集塵して水銀含有ガスＧ６と水銀除去ダストＤ５とに分離するサイクロン１４と、サイクロン１４から排出された水銀含有ガスＧ６を集塵して水銀含有ガスＧ７と水銀除去ダストＤ６とに分離するバグフィルタ１５と、バグフィルタ１５から排出された水銀含有ガスＧ７から熱回収するユングストローム型熱交換器１６と、ユングストローム型熱交換器１６からファン１７を介して供給される水銀含有ガスＧ８に含まれる水銀を回収する活性炭吸着塔１９と、ユングストローム型熱交換器１６で生じた熱を熱風炉１２に供給するファン１８とを備えるセメントキルン排ガスの処理装置１１が記載されている。
【先行技術文献】
【特許文献】
【０００４】
【特許文献１】特開２０１１−８８７７０号公報
【発明の概要】
【発明が解決しようとする課題】
【０００５】
上記特許文献１に記載の処理装置によれば、セメントキルン排ガスに含まれる水銀を効率よく回収することができる。しかし、キルンダストＤ４を加熱したガスＧ４によってキルンダストＤ４や水銀含有ガスＧ５を搬送するため、加熱に必要なガス量の１０倍以上のガス量が必要となる。そのため、ユングストローム型熱交換器１６での水銀含有ガスＧ７と空気Ａ３との熱交換効率が低下すると共に、抽気ダクト１３、サイクロン１４やバグフィルタ１５等の固気分離装置、活性炭吸着塔１９等の関連設備も大型化せざるを得ず、設備コスト及び運転コストが高くなるという問題があった。
【０００６】
そこで、本発明は、上記従来技術における問題点に鑑みてなされたものであって、低コストでセメントキルン排ガスから効率よく水銀を回収することを目的とする。
【課題を解決するための手段】
【０００７】
上記目的を達成するため、本発明のセメントキルン排ガスの処理装置は、セメントキルン排ガスから回収したダストを加熱し、該ダストに含まれる水銀を揮発させる加熱装置と、該加熱装置から排出された揮発水銀を含むガスを、水銀含有ガスと水銀除去ダストとに分離する固気分離装置と、該分離された水銀含有ガスに含まれる揮発水銀を回収する水銀回収装置とを備え、前記加熱装置と固気分離装置とを一体化したことを特徴とする。
【０００８】
本発明に係るセメントキルン排ガスの処理装置によれば、加熱装置と固気分離装置とを一体化することで、加熱装置と固気分離装置との間の放散熱を低減することができる。これによって、加熱装置へ供給するガス量を少なくした場合でも、ダストに含まれる水銀の揮発に要する熱量が不足する危険性を小さくすることができ、セメントキルン排ガスから効率よく水銀を回収することができる。
【０００９】
上記セメントキルン排ガスの処理装置において、前記固気分離装置を前記加熱装置のダスト排出部の上部に配置することで、加熱装置と固気分離装置からのダストの排出を統一することができ、設備コスト及び運転コストを低減することができる。
【００１０】
前記加熱装置を外熱キルン又はＵターンキルンとすることができる。これらの間接加熱式のキルンを用いることで、加熱装置から排出されるガス量を少なくすることができ、関連設備の小型化が可能となる。また、セメントキルン排ガスから回収したダストと加熱媒体との接触により加熱媒体に水銀が含まれることを防止して排ガス処理設備を簡易なものとすることができる。また、ダストを均一に加熱することができるため、ダストに含まれる水銀を効率よく揮発させることができる。
【００１１】
前記固気分離装置を、前記外熱キルン又はＵターンキルンに供給するダスト加熱用の熱風を供給する熱風炉からの熱風によって加熱することができ、固気分離装置においても加熱装置から排出された揮発水銀を含むガスを加熱することで、熱量不足を補い、効率よく水銀を回収することができる。また、この際、ダスト加熱用の熱風を供給する熱風炉からの熱風を利用することで設備コスト及び運転コストを低く抑えることができる。
【発明の効果】
【００１２】
以上のように、本発明によれば、低コストでセメントキルン排ガスから効率よく水銀を回収することが可能となる。
【図面の簡単な説明】
【００１３】
【図１】本発明に係るセメントキルン排ガスの処理装置の一実施の形態を示す全体構成図である。
【図２】従来のセメントキルン排ガスの処理装置の一例を示す全体構成図である。
【発明を実施するための形態】
【００１４】
図１は、本発明に係るセメントキルン排ガスの処理装置の一実施の形態を示し、この処理装置１は、セメントキルン排ガスに含まれる、水銀を含むキルンダストＤ１及び空気Ａ１が供給され、キルンダストＤ１を加熱して水銀含有ガスＧ１と水銀除去ダストＤ２とに分離する外熱キルン３と、外熱キルン３に熱風Ｈ２を供給する熱風炉５と、外熱キルン３から排出される水銀含有ガスＧ１を集塵して水銀含有ガスＧ２と水銀除去ダストＤ３とに分離するバグフィルタ４と、バグフィルタ４から排出された水銀含有ガスＧ２に冷却用空気Ｃを導入する冷風取入部６と、ファン７を介して供給された水銀含有ガスＧ２から水銀を回収する活性炭吸着塔８とを備える。
【００１５】
加熱装置としての外熱キルン３は、回転式のキルン３ａを囲繞するジャケット３ｂに、熱風炉５から熱風Ｈ２が供給されてキルン内部が加熱される。熱風炉５からの熱風Ｈ２は高温空気でも、燃焼ガスであってもよい。一方、スクリューコンベア２から外熱キルン３にキルンダストＤ１が供給され、外熱キルン３の内部で加熱される。
【００１６】
上述のような外熱キルン３に代えてＵターンキルンを用いることもできる。Ｕターンキルンは、水平軸の周りに緩やかに回転する円筒と、傾斜する案内羽根を有する仕切壁とを備え、粉粒体の内筒内充填率（ホールドアップ）を従来の１０％以下から３０％〜４０％と高めて上記円筒を小型化したものである。
【００１７】
加熱装置としての熱風炉５は、発生した熱風Ｈ１の大部分の熱風Ｈ２を外熱キルン３に吹き込み、熱風Ｈ２によってキルンダストＤ１を加熱してキルンダストＤ１中の水銀を揮発させる。また、残りの熱風Ｈ３をバグフィルタ４に供給する。
【００１８】
バグフィルタ４は、９００℃程度までの耐熱性を有する高耐熱型のバグフィルタであることが望ましい。このようなバグフィルタとしては、ハニカムセル化した棒状のセラミック管を複数配列したものや、シート状のセラミックフィルタを用いたものなど、様々なタイプのものが開発されている。本発明においては、水銀含有ガスＧ１に含まれる微細粒子を回収し得るものであれば、フィルタのタイプは特に限定されない。
【００１９】
バグフィルタ４は、外熱キルン３のダスト排出部３ｃの上部において外熱キルン３と一体化される。これによって、外熱キルン３とバグフィルタ４との間の配管を省略している。このバグフィルタ４にも熱風炉５から熱風Ｈ３が供給されて加熱される。
【００２０】
水銀回収装置としての活性炭吸着塔８は、ファン７によって導入された水銀含有ガスＧ２中の水銀を回収するために備えられる。ここで、冷風取入部６から導入された冷却用空気Ｃによって水銀含有ガスＧ２の温度を活性炭に通ガス可能な温度（例えば１００℃程度）まで低下させる。活性炭吸着塔８で使用される活性炭としては、市販の活性炭の中で、水銀回収能力に特に優れる活性炭を選定することが望ましい。具体的には、水銀吸着用として調整された硫黄添着処理が施されている活性炭が好適である。
【００２１】
次に、上記構成を有するセメントキルン排ガス処理装置１の動作について、図１を参照しながら説明する。
【００２２】
スクリューコンベア２によってキルンダストＤ１を外熱キルン３に供給すると共に、キャリアガスとしての空気Ａ１を外熱キルン３に供給する。また、外熱キルン３に熱風炉５から熱風Ｈ２を供給し、熱風Ｈ２によってキルンダストＤ１を３８０〜５００℃に間接加熱し、キルンダストＤ１に含まれる水銀を揮発させる。
【００２３】
外熱キルン３から排出される水銀含有ガスＧ１は、直接バグフィルタ４に導入され、バグフィルタ４において、水銀含有ガスＧ１を水銀含有ガスＧ２と水銀除去ダストＤ３とに分離する。この際、熱風炉５からの熱風Ｈ３でバグフィルタ４を加熱し、外熱キルン３におけるキルンダストＤ１に含まれる水銀の揮発に要する熱量の不足を補う。バグフィルタ４のケーシングを加熱した後の熱風Ｈ５は、適切な排ガス処理をした後大気に放出する。
【００２４】
外熱キルン３から排出された水銀除去ダストＤ２は、バグフィルタ４で分離された水銀除去ダストＤ３と共に系外に排出してセメント原料等として利用する。キルンダストＤ１を加熱した後の熱風Ｈ４は、適切な排ガス処理をした後大気に放出する。
【００２５】
バグフィルタ４から排出された３５０〜４５０℃の水銀含有ガスＧ２は、冷風取入部６から取り入れた冷却用空気Ｃによって１００℃程度まで冷却し、ファン７を介して活性炭吸着塔８に供給する。活性炭吸着塔８において水銀含有ガスＧ２中の水銀を回収し、回収後の排ガスＧ３を適切な排ガス処理をした後大気に放出する。
【００２６】
以上のように、本実施の形態では、外熱キルン３等を用いて供給ガス量を少なくした場合でも、外熱キルン３等とバグフィルタ４とを一体化することで、外熱キルン３等とバグフィルタ４との間の配管を省略して放散熱を減少させると共に、バグフィルタ５を加熱することで、外熱キルン３等における熱量不足を補うことができ、低コストでセメントキルン排ガスから効率よく水銀を回収することが可能となる。
【００２７】
尚、上記実施の形態では、加熱装置として外熱キルン３等を用いているが、キルンダストＤ１を加熱し、キルンダストＤ１に含まれる水銀を揮発させることができるものであれば、他の形式のキルンであってもよく、直接加熱式の加熱装置を用いることもできる。
【００２８】
さらに、外熱キルン３に空気Ａ１を供給したが、セメントキルンに付設されるクリンカクーラからの排ガスを外熱キルン３に供給してキルンダストＤ１の間接加熱に利用してもよい。
【００２９】
また、水銀回収装置として活性炭吸着塔８を用いたが、活性コークス等を用いた装置や、吸着剤により水銀を吸着除去するガス吸着装置等を使用することもできる。
【００３０】
さらに、冷風取入部６からの冷却用空気Ｃで水銀含有ガスＧ２を冷却したが、水銀含有ガスＧ２を熱交換器に通すことで、水銀含有ガスＧ２から熱を回収しながらその温度を低下させることもできる。
【符号の説明】
【００３１】
１  セメントキルン排ガス処理装置
２  スクリューコンベア
３  外熱キルン
３ａ  キルン
３ｂ  ジャケット
３ｃ  ダスト排出部
４  バグフィルタ
５  熱風炉
６  冷風取入部
７  ファン
８  活性炭吸着塔
Ａ１  空気
Ｃ  冷却用空気
Ｄ１  キルンダスト
Ｄ２、Ｄ３  水銀除去ダスト
Ｇ１、Ｇ２  水銀含有ガス
Ｇ３  排ガス
Ｈ１〜Ｈ５  熱風
【図１】
2015081207.tif 000003
【図２】
2015081207.tif 000004